(57)【要約】【課題】領域ごとに色補正できる画像処理装置を提供する。【解決手段】パッチ配置処理部３２０は、分割数設定部３００で設定された分割数に分割された領域それぞれに、各領域の大きさに対応したキャリブレーションチャートを配置するための処理を行う。補正データ生成部３３６は、記録媒体の各領域に形成されたキャリブレーションチャートを測色して得られた測色データに基づいて、各領域それぞれについて、色補正に用いる補正データを生成し、色補正処理部３６６は、補正データを用いて、領域ごとに色補正を行う。【選択図】図３
2014086930.tif 000002
【特許請求の範囲】
【請求項１】
予め定められた分割数に分割された領域それぞれに、各領域の大きさに対応した色補正用画像を配置する配置手段と、
記録媒体の各領域に形成された前記色補正用画像を測色して得られた測色データと目標値とに基づいて領域ごとに補正量を算出する補正量算出手段と、
前記補正量算出手段で領域ごとに算出された補正量の各領域間における差分を示す値を算出する差分算出手段と、
前記差分算出手段で算出された補正量の差分を示す値が予め定められた値以下である場合に、当該補正量に関する複数の領域について同じ補正量として記憶する記憶手段と、
前記記憶手段に記憶された補正量を用いて、領域ごとに色補正を行う色補正手段と
を有する画像処理装置。
【請求項２】
前記配置手段は、各領域に前記色補正用画像が収まるように当該色補正用画像の大きさを変更して、前記色補正用画像を分割された領域それぞれに配置する
請求項１に記載の画像処理装置。
【請求項３】
前記色補正用画像は、複数の色見本を含み、
前記配置手段は、測色可能な大きさに基づいて色見本の大きさを変更して、前記色補正用画像を分割された領域それぞれに配置する
請求項１に記載の画像処理装置。
【請求項４】
前記色補正用画像は、複数の色見本を含み、
前記配置手段は、色見本の数を変更して、前記色補正用画像を分割された領域それぞれに配置する
請求項１に記載の画像処理装置。
【請求項５】
前記色補正用画像は、複数の現像剤の色からなる複数の色見本を含み、
前記配置手段は、現像剤の色の数を変更して、前記色補正用画像を分割された領域それぞれに配置する
請求項１に記載の画像処理装置。
【請求項６】
記録媒体に画像を形成する画像形成手段と、
予め定められた分割数に分割された領域それぞれに、各領域の大きさに対応した色補正用画像を配置する配置手段と、
前記画像形成手段によって記録媒体の各領域に形成された前記色補正用画像を測色して得られた測色データと目標値とに基づいて領域ごとに補正量を算出する補正量算出手段と、
前記補正量算出手段で領域ごとに算出された補正量の各領域間における差分を示す値を算出する差分算出手段と、
前記差分算出手段で算出された補正量の差分を示す値が予め定められた値以下である場合に、当該補正量に関する複数の領域について同じ補正量として記憶する記憶手段と、
前記記憶手段に記憶された補正量を用いて、領域ごとに色補正を行う色補正手段と
を有する画像形成装置。
【請求項７】
画像を読み取る画像読取装置と、
記録媒体に画像を形成する画像形成装置と、
画像処理装置と
を有し、
前記画像処理装置は、
予め定められた分割数に分割された領域それぞれに、各領域の大きさに対応した色補正用画像を配置する配置手段と、
前記画像形成手段によって記録媒体の各領域に形成された前記色補正用画像を測色して得られた測色データと目標値とに基づいて領域ごとに補正量を算出する補正量算出手段と、
前記補正量算出手段で領域ごとに算出された補正量の各領域間における差分を示す値を算出する差分算出手段と、
前記差分算出手段で算出された補正量の差分を示す値が予め定められた値以下である場合に、当該補正量に関する複数の領域について同じ補正量として記憶する記憶手段と、
前記記憶手段に記憶された補正量を用いて、領域ごとに色補正を行う色補正手段と
を有する
画像処理システム。
【請求項８】
予め定められた分割数に分割された領域それぞれに、各領域の大きさに対応した色補正用画像を配置する配置ステップと、
記録媒体の各領域に形成された前記色補正用画像を測色して得られた測色データと目標値とに基づいて領域ごとに補正量を算出する補正量算出ステップと、
前記補正量算出ステップで領域ごとに算出された補正量の各領域間における差分を示す値を算出する差分算出ステップと、
前記差分算出ステップで算出された補正量の差分を示す値が予め定められた値以下である場合に、当該補正量に関する複数の領域について同じ補正量として記憶手段に記憶する記憶ステップと、
前記記憶手段に記憶された補正量を用いて、領域ごとに色補正を行う色補正ステップと
をコンピュータに実行させるプログラム。
【発明の詳細な説明】
【技術分野】
【０００１】
本発明は、画像処理装置、画像形成装置、画像処理システムおよびプログラムに関する。
【背景技術】
【０００２】
特許文献１は、記録シートの印刷領域を複数に分割し、分割された各印刷領域に所定範囲の複数の異なる濃度のパッチを配置するとともに、同一濃度のパッチが各印刷領域に配置された濃度調整用シートを印刷する手段と、上記印刷した濃度調整用シートの濃度を各パッチの位置情報と共に読取る手段と、上記読取った同一濃度のパッチの濃度の平均値を求める手段と、上記同一濃度のパッチの濃度の平均値からガンマ曲線を求める手段と、上記ガンマ曲線を使って出力画像の濃度を補正する手段とを備えた画像濃度補正装置を有する画像形成装置を開示する。
特許文献２は、階調特性を把握するための同一色のパッチ集合であるパッチブロックをｋブロック有し、出力位置による濃度ムラが大きい濃度域においては同一濃度の前記パッチをｍブロックに配置し、それ以外の濃度域においては同一濃度のパッチをｎブロックに配置することを特徴とする階調補正パラメータ生成用シートを開示する。
【先行技術文献】
【特許文献】
【０００３】
【特許文献１】特開２００５−０２４７３３号公報
【特許文献２】特開２０１１−１９３１３２号公報
【発明の概要】
【発明が解決しようとする課題】
【０００４】
本発明の目的は、処理の負荷を低減して領域ごとに色補正できる画像処理装置を提供することである。
【課題を解決するための手段】
【０００５】
請求項１にかかる本発明は、予め定められた分割数に分割された領域それぞれに、各領域の大きさに対応した色補正用画像を配置する配置手段と、記録媒体の各領域に形成された前記色補正用画像を測色して得られた測色データと目標値とに基づいて領域ごとに補正量を算出する補正量算出手段と、前記補正量算出手段で領域ごとに算出された補正量の各領域間における差分を示す値を算出する差分算出手段と、前記差分算出手段で算出された補正量の差分を示す値が予め定められた値以下である場合に、当該補正量に関する複数の領域について同じ補正量として記憶する記憶手段と、前記記憶手段に記憶された補正量を用いて、領域ごとに色補正を行う色補正手段とを有する画像処理装置である。
【０００６】
請求項２にかかる本発明は、前記配置手段は、各領域に前記色補正用画像が収まるように当該色補正用画像の大きさを変更して、前記色補正用画像を分割された領域それぞれに配置する請求項１に記載の画像処理装置である。
【０００７】
請求項３にかかる本発明は、前記色補正用画像は、複数の色見本を含み、前記配置手段は、測色可能な大きさに基づいて色見本の大きさを変更して、前記色補正用画像を分割された領域それぞれに配置する請求項１に記載の画像処理装置である。
【０００８】
請求項４にかかる本発明は、前記色補正用画像は、複数の色見本を含み、前記配置手段は、色見本の数を変更して、前記色補正用画像を分割された領域それぞれに配置する請求項１に記載の画像処理装置である。
【０００９】
請求項５にかかる本発明は、前記色補正用画像は、複数の現像剤の色からなる複数の色見本を含み、前記配置手段は、現像剤の色の数を変更して、前記色補正用画像を分割された領域それぞれに配置する請求項１に記載の画像処理装置である。
【００１０】
請求項６にかかる本発明は、記録媒体に画像を形成する画像形成手段と、予め定められた分割数に分割された領域それぞれに、各領域の大きさに対応した色補正用画像を配置する配置手段と、前記画像形成手段によって記録媒体の各領域に形成された前記色補正用画像を測色して得られた測色データと目標値とに基づいて領域ごとに補正量を算出する補正量算出手段と、前記補正量算出手段で領域ごとに算出された補正量の各領域間における差分を示す値を算出する差分算出手段と、前記差分算出手段で算出された補正量の差分を示す値が予め定められた値以下である場合に、当該補正量に関する複数の領域について同じ補正量として記憶する記憶手段と、前記記憶手段に記憶された補正量を用いて、領域ごとに色補正を行う色補正手段とを有する画像形成装置である。
【００１１】
請求項７にかかる本発明は、画像を読み取る画像読取装置と、記録媒体に画像を形成する画像形成装置と、画像処理装置とを有し、前記画像処理装置は、予め定められた分割数に分割された領域それぞれに、各領域の大きさに対応した色補正用画像を配置する配置手段と、前記画像形成手段によって記録媒体の各領域に形成された前記色補正用画像を測色して得られた測色データと目標値とに基づいて領域ごとに補正量を算出する補正量算出手段と、前記補正量算出手段で領域ごとに算出された補正量の各領域間における差分を示す値を算出する差分算出手段と、前記差分算出手段で算出された補正量の差分を示す値が予め定められた値以下である場合に、当該補正量に関する複数の領域について同じ補正量として記憶する記憶手段と、前記記憶手段に記憶された補正量を用いて、領域ごとに色補正を行う色補正手段とを有する画像処理システムである。
【００１２】
請求項８にかかる本発明は、予め定められた分割数に分割された領域それぞれに、各領域の大きさに対応した色補正用画像を配置する配置ステップと、記録媒体の各領域に形成された前記色補正用画像を測色して得られた測色データと目標値とに基づいて領域ごとに補正量を算出する補正量算出ステップと、前記補正量算出ステップで領域ごとに算出された補正量の各領域間における差分を示す値を算出する差分算出ステップと、前記差分算出ステップで算出された補正量の差分を示す値が予め定められた値以下である場合に、当該補正量に関する複数の領域について同じ補正量として記憶手段に記憶する記憶ステップと、前記記憶手段に記憶された補正量を用いて、領域ごとに色補正を行う色補正ステップとをコンピュータに実行させるプログラムである。
【発明の効果】
【００１３】
請求項１に係る本発明によれば、処理の負荷を低減して領域ごとに色補正できる画像処理装置を提供できる。
【００１４】
請求項２に係る本発明によれば、請求項１に係る本発明により得られる効果に加えて、本構成を有しない場合と比較して、領域の面積に応じて、効率的に色補正用画像を配置できる。
【００１５】
請求項３に係る本発明によれば、請求項１に係る本発明により得られる効果に加えて、本構成を有しない場合と比較して、領域の面積に応じて、効率的に色補正用画像を配置できる。
【００１６】
請求項４に係る本発明によれば、請求項１に係る本発明により得られる効果に加えて、本構成を有しない場合と比較して、領域の面積に応じて、効率的に色補正用画像を配置できる。
【００１７】
請求項５に係る本発明によれば、請求項１に係る本発明により得られる効果に加えて、本構成を有しない場合と比較して、領域の面積に応じて、効率的に色補正用画像を配置できる。
【００１８】
請求項６に係る本発明によれば、処理の負荷を低減して領域ごとに色補正できる画像形成装置を提供できる。
【００１９】
請求項７に係る本発明によれば、処理の負荷を低減して領域ごとに色補正できる画像処理システムを提供できる。
【００２０】
請求項８に係る本発明によれば、処理の負荷を低減して領域ごとに色補正できるプログラムを提供できる。
【図面の簡単な説明】
【００２１】
【図１】画像形成装置の構成を例示する図である。
【図２】画像処理装置のハードウェア構成を示す図である。
【図３】画像処理装置により実行される画像処理プログラムを示すブロック・ダイアグラムである。
【図４】キャリブレーションチャートを例示する図である。
【図５】パッチサイズ変更処理によって各領域に配置されたキャリブレーションチャートを例示する図である。
【図６】パッチ数変更処理によって各領域に配置されたキャリブレーションチャートを例示する図である。
【図７】色数変更処理によって各領域に配置されたキャリブレーションチャートを例示する図である。
【図８】補正データ生成部によって生成される補正データを例示する図である。
【図９】差分算出部の処理を説明するための図である。
【図１０】画像処理プログラムの処理を示すフローチャートである。
【図１１】画像処理システムを示す図である。
【発明を実施するための形態】
【００２２】
まず、画像形成装置１０の構成を説明する。
図１は、タンデム型の画像形成装置１０の構成を例示する図である。
図１に示すように、画像形成装置１０は、画像処理装置２、通信装置１３、画像形成ユニット１４、中間転写ベルト１６、用紙トレイ１７、用紙搬送路１８、及び定着器１９を有する。
なお、本例の画像形成装置１０は、ネットワークを介して接続されたコンピュータ端末から受信した画像データを印刷するプリンタ機能のみを有するが、これに限定されるものではなく、スキャナとしての機能、複写機としての機能、及び、ファクシミリとしての機能をさらに有してもよい。
【００２３】
まず、画像形成装置１０の概略を説明すると、画像形成装置１０の上部には、画像処理装置２、画像読取ユニット１２及び通信装置１３が配設されている。
画像処理装置２は、演算装置、メモリ、及びＡＳＩＣなどが設けられたコントローラであり、画像形成装置１０の他の構成を制御する。通信装置１３は、ネットワークを介して、コンピュータ端末と通信を行う。
【００２４】
画像読取ユニット１２は、原稿を載せるプラテンガラス１２４と、この原稿をプラテンガラス１２４上に押圧するプラテンカバー１２２と、プラテンガラス１２４上に載置された原稿の画像を読み取る画像読取装置１３０とを有する。この画像読取装置１３０は、プラテンガラス１２４上に載置された原稿を光源１３２によって照明し、原稿からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿の色材反射光像を予め定められたドット密度（例えば、１６ドット／ｍｍ）で読み取るように構成されている。
【００２５】
画像処理装置２は、画像読取ユニット１２により読み取られた画像データ又はコンピュータ端末から受信した画像データに対して、シェーディング補正、原稿の位置ズレ補正、ガンマ補正、枠消し、色／移動編集等の予め定められた画像処理を施す。
なお、本例において、画像読取ユニット１２により読み取られた原稿の色材反射光像は、例えば、赤（Ｒ）、緑（Ｇ）、青（Ｂ）の３色の原稿反射率データであり、画像処理装置２による画像処理によって、イエロー（Ｙ）、マゼンタ（Ｍ）、シアン（Ｃ）、黒（Ｋ）の４色の原稿色材階調データに変換される。
【００２６】
また、イエロー（Ｙ）、マゼンタ（Ｍ）、シアン（Ｃ）、黒（Ｋ）の原稿色材階調データへの変換については、例えば、以下の方法があるが、これらに限定されない。
例えば、イエロー（Ｙ）に対しては青（Ｂ）のデータを用い、マゼンタ（Ｍ）に対しては緑（Ｇ）のデータを用い、シアン（Ｃ）に対しては赤（Ｒ）のデータを用い、黒（Ｋ）に対しては緑（Ｇ）のデータ等を用いて変換してもよい。
また、スキャンプロファイル等を用いて、赤（Ｒ）、緑（Ｇ）、青（Ｂ）のデータからデバイス非依存色空間に変換してもよい。例えば、Ｌ＊ａ＊ｂ＊表色系の各成分のデータを算出し、イエロー（Ｙ）に対してはｂ＊のデータを用い、マゼンタ（Ｍ）に対してはａ＊のデータを用い、シアン（Ｃ）に対してはａ＊又はｂ＊のデータを用い、黒（Ｋ）に対してはＬ＊のデータ等を用いて変換してもよい。
また、例えば、Ｌ＊ａ＊ｂ＊表色系の各成分のデータから、紙白からの距離（差分）を示すΔＥデータを算出し、このΔＥを、イエロー（Ｙ）、マゼンタ（Ｍ）、シアン（Ｃ）、黒（Ｋ）についての濃さを示す指標として用いてもよい。
また、例えば、画像読取装置１３０が測色器である場合には、分光データからＬ＊ａ＊ｂ＊表色系の各成分のデータを得るようにしてもよい。
また、例えば、画像読取装置１３０が測色器である場合には、分光データから濃度データを算出するようにしてもよい。
【００２７】
画像処理装置２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。
中間転写ベルト１６は、中間転写体として図中矢印Ａの方向に回動し、これら４つの画像形成ユニット１４Ｋ、１４Ｙ、１４Ｍ、１４Ｃは、画像処理装置２から入力された画像データに基づいて各色のトナー像を順次形成し、これら複数のトナー像が互いに重ね合わせられるタイミングで中間転写ベルト１６に転写（一次転写）する。
なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００２８】
用紙搬送路１８は、中間転写ベルト１６の下方に配設されている。用紙トレイ１７から供給された記録用紙（記録媒体）は、この用紙搬送路１８上を搬送され、上記中間転写ベルト１６上に多重に転写された各色のトナー像が一括して転写（二次転写）され、転写されたトナー像が定着器１９によって定着され、矢印Ｂに沿って外部に排出される。
なお、記録用紙の排出部に画像読取ユニット１２を設けることにより、使用者が排出された記録用紙を画像読取ユニット１２にセットすることなく、画像読取ユニット１２が、排出された記録用紙に形成された画像を読み取るようにしてもよい。
【００２９】
次に、画像形成装置１０の各構成についてより詳細に説明する。
図１に示すように、画像処理装置２は、通信装置１３を介して、コンピュータ端末から画像データを受信すると、受信した画像データに対して、色変換処理、濃度補正処理及びハーフトーン処理などを施して、画像形成ユニット１４に出力する。
また、画像処理装置２は、必要に応じて、キャリブレーションに用いるテスト画像（チャート）のデータを生成し、生成されたテスト画像データ（チャートデータ）を画像形成ユニット１４に出力する。
【００３０】
第１の画像形成ユニット１４Ｋ、第２の画像形成ユニット１４Ｙ、第３の画像形成ユニット１４Ｍ及び第４の画像形成ユニット１４Ｃは、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２から入力された画像データに応じてレーザ光を走査する光走査装置１４０Ｋと、この光走査装置１４０Ｋにより走査されたレーザ光により静電潜像が形成される像形成装置１５０Ｋとを有する。
【００３１】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋによって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
像形成装置１５０Ｋは、矢印Ａの方向に沿って予め定められた回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５２Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナー（現像剤）で現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００３２】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に予め定められた速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００３３】
用紙搬送路１８には、用紙トレイ１７から記録用紙を取り出す給紙ローラ１８１と、用紙搬送用の第１のローラ対１８２及び第２のローラ対１８３と、記録用紙を既定のタイミングで二次転写位置に搬送するレジストロール１８４とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙上に二次転写される。各色のトナー像が転写された記録用紙は、第１の搬送ベルト１８６及び第２の搬送ベルト１８７によって定着器１９へと搬送される。
定着器１９は、上記各色のトナー像が転写された記録用紙に対して加熱処理及び加圧処理を施すことにより、トナーを記録用紙に溶融固着させる。
【００３４】
図２は、画像処理装置２のハードウェア構成を示す図である。
図２に示すように、画像処理装置２は、ＣＰＵ等の演算部２６２及びメモリ等の記憶部２６４などを含む制御装置２６０と、通信装置２７０と、記録装置２７２と、ユーザインターフェース装置（ＵＩ装置）２８０とから構成される。
つまり、画像処理装置２は、情報処理および他の処理装置又は端末との通信が可能なコンピュータとしてのハードウェア構成部分を有している。
また、以下の各図において、実質的に同じ構成部分および処理には同じ番号が付される。
ＵＩ装置２８０は、ＬＣＤ（Liquid Crystal Display）表示装置あるいはＣＲＴ（Cathode Ray Tube）表示装置等の表示装置およびキーボード・タッチパネルなどを含む。
【００３５】
次に、画像処理装置２にインストールされるプログラムを説明する。
図３は、画像処理装置２にインストールされ画像処理装置２により実行される画像処理プログラム３０を示すブロック・ダイアグラムである。
画像処理プログラム３０は、たとえば、記憶媒体等を介して画像処理装置２に供給され、記憶部２６４に記憶され、画像処理装置２にインストールされたＯＳ（図示せず）上で、画像処理装置２のハードウェア資源を具体的に利用して実行される。
【００３６】
また、本例では、プログラムの全機能構成がソフトウェアとして画像処理装置２にインストールされているが、これに限定されるものではなく、例えば、プログラムの一部がＡＳＩＣなどのハードウェアで実現されてもよい。
なお、画像処理装置２にインストールされるプログラムは、ＣＤ−ＲＯＭなどの記憶媒体に記録され、この記憶媒体を介して画像処理装置２にインストールされてもよいし、データ信号の形式で配信され、画像処理装置２にインストールされてもよい。
【００３７】
図３に示すように、画像処理プログラム３０は、分割数設定部３００、用紙サイズ設定部３０２、チャート情報記憶部３１０、測色可能サイズ記憶部３１２、パッチ配置処理部３２０、チャート生成部３３０、チャート印刷制御部３３２、チャート測色データ処理部３３４、補正データ生成部３３６、差分算出部３３８、同一処理部３４０、補正データ記憶部３５０、画像データ受付部３６０、色変換部３６２、分割印刷指示部３６４、色補正処理部３６６及び印刷制御部３７０から構成される。
画像処理プログラム３０は、以上の構成により、設定された分割数に分割された領域それぞれに、各領域の大きさに対応したキャリブレーションチャート（色補正用画像）を配置する。
さらに、画像処理プログラム３０は、用紙に形成されたキャリブレーションチャートの各パッチ（色見本）を測色して得られた測色データに基づいて、領域ごとに色補正を行う。
【００３８】
分割数設定部３００は、用紙を複数の領域に分割して印刷する（Ｎアップ等）際の分割数を設定し、設定された分割数をパッチ配置処理部３２０に対して出力する。
具体的には、例えば使用者がＵＩ装置２８０を操作して分割数を例えば「４」と設定し、分割数設定部３００は、その設定された分割数を受け付ける。
なお、以下、分割数「４」の場合を例に挙げて説明するが、分割数はいくつであってもよい。
【００３９】
用紙サイズ設定部３０２は、用紙のサイズ（例えば、用紙の縦寸法及び横寸法等、又は、Ａ４サイズ等の用紙サイズの規格）を設定し、設定された用紙サイズをパッチ配置処理部３２０に対して出力する。
具体的には、例えば使用者がＵＩ装置２８０を操作して用紙のサイズを設定し、用紙サイズ設定部３０２は、その設定された用紙サイズを受け付ける。
【００４０】
チャート情報記憶部３１０は、図４に例示するキャリブレーションチャートに関する情報を記憶する。
図４は、キャリブレーションチャートを例示する図である。
図４に例示するキャリブレーションチャートは、シアン（Ｃ）、マゼンタ（Ｍ）、イエロー（Ｙ）、黒（Ｋ）から構成される。
シアン（Ｃ）、マゼンタ（Ｍ）、イエロー（Ｙ）、黒（Ｋ）のキャリブレーションチャートは、それぞれ、複数のカバレッジからなる複数（２１個）のパッチ（色見本）＃１〜＃２１から構成される。
【００４１】
ここで、カバレッジとは、例えば網点面積率又は網点濃度のことであって、ハーフトーン処理の際に、印刷対象の画像データにおいて濃度が濃い箇所についてはカバレッジを高くし、濃度が薄い箇所についてはカバレッジを低くして、記録媒体に画像が形成される。
図４の例では、左から右へカバレッジが高くなるようになっており、最も左のパッチ＃１のカバレッジ（Ｃｉｎ）は０％であり、最も右のパッチ＃２１のカバレッジ（Ｃｉｎ）は１００％である。
【００４２】
測色可能サイズ記憶部３１２（図３）は、画像読取ユニット１２が測色可能なパッチのサイズ（例えば、パッチの縦寸法及び横寸法等、又は、予め定められた規格等）を記憶する。
なお、測色は画像読取ユニット１２によって行われなくてもよく、別個の測色器によって行われてもよい。この場合、測色可能サイズ記憶部３１２は、その測色器が測色可能なパッチのサイズ（測色可能サイズ）を記憶する。
例えば、測色可能サイズ記憶部３１２は、測色可能な最小のパッチのサイズを、測色可能サイズとして記憶する。
【００４３】
パッチ配置処理部３２０は、分割数設定部３００で設定された分割数で用紙を分割した領域それぞれに、キャリブレーションチャートを配置するための処理を行い、処理結果を、チャート生成部３３０に対して出力する。
具体的には、パッチ配置処理部３２０は、以下に説明する「パッチサイズ変更処理」、「パッチ数変更処理」及び「色数変更処理」を行う。
さらに、パッチ配置処理部３２０は、配置されたキャリブレーションチャート内のパッチの位置情報と、そのパッチの色及び階調（カバレッジ）を示す情報とを、チャート測色データ処理部３３４に対して出力する。
【００４４】
まず、「パッチサイズ変更処理」について説明する。
パッチ配置処理部３２０は、用紙を分割した際の各領域の大きさを算出する。
また、パッチ配置処理部３２０は、測色可能サイズ記憶部３１２に記憶された測色可能サイズにパッチの大きさを変更（例えば縮小又は拡大）するように、チャート情報記憶部３１０に記憶されたキャリブレーションチャートの大きさを変更（例えば縮小又は拡大）する。
【００４５】
さらに、パッチ配置処理部３２０は、サイズ変更後のキャリブレーションチャートの大きさを算出し、サイズ変更後のキャリブレーションチャートが各領域内に収まるか否かを判断する。
サイズ変更後のキャリブレーションチャートが各領域内に収まる場合、パッチ配置処理部３２０は、図５に例示するように、サイズ変更後のキャリブレーションチャートを、各領域に配置するための処理を行う。
なお、この場合、パッチ配置処理部３２０は、各領域に収まる最大の大きさまでキャリブレーションチャートの大きさを変更した上で、各領域に配置するための処理を行ってもよい。
【００４６】
図５は、パッチサイズ変更処理によって各領域に配置されたキャリブレーションチャートを例示する図である。
図５に例示するように、４つに分割された各領域に、図４に例示されたキャリブレーションチャートが縮小されて配置されている。
各領域のキャリブレーションチャートは、図４に例示したキャリブレーションチャートと同様に、４つのトナー色それぞれについて、＃１〜＃２１の２１個の階調のパッチを含む。
また、この縮小されたキャリブレーションチャートの各パッチのサイズは、測色可能な最小のパッチのサイズ以上となっている。
【００４７】
次に、「パッチ数変更処理」について説明する。
パッチ配置処理部３２０は、測色可能サイズ記憶部３１２に記憶された測色可能サイズにパッチの大きさを維持しつつ、キャリブレーションチャートの複数の階調からなる複数のパッチの数を変更し（例えば減少させ）、パッチ数を変更したキャリブレーションチャートを、各領域に配置するための処理を行う。
具体的には、パッチ配置処理部３２０は、図４に例示したキャリブレーションチャートの各色の＃１〜＃２１のパッチから、予め定められた数のパッチを削除する。
【００４８】
例えば、画像形成装置１０の階調安定領域が３０％〜８０％である場合、パッチ配置処理部３２０は、各色についてカバレッジが３０％〜８０％のパッチから５個のパッチを削除して、図６に例示するように、パッチ数変更後のキャリブレーションチャートを、各領域に配置する。
なお、パッチ配置処理部３２０は、一度に複数のパッチを削除しなくてもよく、まず各色について１個のパッチが削除されたキャリブレーションチャートを各領域に収めることが可能か否かを判断し、収まらない場合は、２個のパッチが削除されたキャリブレーションチャートを各領域に収めることが可能か否かを判断するようにしてもよい。そして、この処理を、予め定められた数まで削除するまで繰り返してもよい。
【００４９】
図６は、パッチ数変更処理によって各領域に配置されたキャリブレーションチャートを例示する図である。
図６に例示するように、図４に例示されたキャリブレーションチャートの各色について＃８、＃１０、＃１２、＃１４、＃１６のパッチが削除されたキャリブレーションチャートが、４つに分割された各領域に配置されている。
つまり、図４に例示したキャリブレーションチャートは、各色について２１個のパッチを含むが、図６においては、各領域に配置されたキャリブレーションチャートは、各色について１６個のパッチを含む。
また、この縮小されたキャリブレーションチャートの各パッチのサイズは、測色可能な最小のパッチのサイズ以上となっており、図４に例示されたキャリブレーションチャートのパッチのサイズと異なっていても（例えば縮小されていても）よい。
【００５０】
次に、「色数変更処理」について説明する。
パッチ配置処理部３２０は、測色可能サイズ記憶部３１２に記憶された測色可能サイズにパッチの大きさを維持しつつ、キャリブレーションチャートの色の数を変更し（例えば減少させ）、色数を変更したキャリブレーションチャートを、各領域に配置するための処理を行う。
【００５１】
具体的には、パッチ配置処理部３２０は、図４に例示したキャリブレーションチャートの４つの色（シアン（Ｃ）、マゼンタ（Ｍ）、イエロー（Ｙ）、黒（Ｋ））から１つ以上の色（例えばシアン（Ｃ））を選択し、選択した色のパッチからなるキャリブレーションチャートを、各領域に配置する。
さらに、パッチ配置処理部３２０は、別の用紙に対する印刷処理として、他の１つ以上の色（例えばマゼンタ（Ｍ））を選択し、選択した色のパッチからなるキャリブレーションチャートを、各領域に配置する。
以下、残りの色についても同様に、別の用紙に対する印刷処理として、選択された色のパッチからなるキャリブレーションチャートを、各領域に配置する。
【００５２】
図７は、色数変更処理によって各領域に配置されたキャリブレーションチャートを例示する図である。
図７に例示するように、１枚目の用紙には、シアン（Ｃ）のみのパッチからなるキャリブレーションチャートが、４つに分割された各領域に配置され、２枚目の用紙には、マゼンタ（Ｍ）のみのパッチからなるキャリブレーションチャートが、４つに分割された各領域に配置され、３枚目の用紙には、マゼンタ（Ｍ）のみのパッチからなるキャリブレーションチャートが、４つに分割された各領域に配置され、４枚目の用紙には、黒（Ｋ）のみのパッチからなるキャリブレーションチャートが、４つに分割された各領域に配置されている。
つまり、図４に例示したキャリブレーションチャートは、４つの色からなるが、図７おいては、各領域に配置されたキャリブレーションチャートは、１色のみからなる。
【００５３】
なお、図７に例示するように、各領域において、１色からなるキャリブレーションチャートは、例えば２段等の複数段に分けて配置されるようにしてもよい。
また、図７においては、１枚の用紙に１色からなるキャリブレーションチャートが配置されるとしたが、２色以上からなるキャリブレーションチャートが配置されるようにしてもよい。つまり、１枚目の用紙にシアン（Ｃ）及びマゼンタ（Ｍ）のパッチからなるキャリブレーションチャートが各領域に配置され、２枚目の用紙にイエロー（Ｙ）及び黒色（Ｋ）のパッチからなるキャリブレーションチャートが各領域に配置されるようにしてもよい。
【００５４】
また、図７においては、各色のパッチ数は、図４に例示した元のキャリブレーションチャートと同じ（２１個）であるが、元のキャリブレーションチャートのパッチ数と同じでなくてもよく、パッチ数を増減させてもよい。
例えば、色数を変更してもキャリブレーションチャートが各領域に収まらない場合は、パッチ数を減少させてもよく、色数を変更した結果、各領域のスペースに余裕が発生した場合は、パッチ数を増加させてもよい。
【００５５】
チャート生成部３３０（図３）は、パッチ配置処理部３２０の処理結果に応じて、各領域に配置されたキャリブレーションチャートを生成し、チャート印刷制御部３３２に対して出力する。
具体的には、チャート生成部３３０は、例えば、図４に例示したキャリブレーションチャートから、図５〜図７に例示したキャリブレーションチャートを生成する。
チャート印刷制御部３３２は、画像形成ユニット１４を制御して、チャート生成部３３０によって生成されたキャリブレーションチャートを用紙に印刷するための処理を行う。
【００５６】
チャート測色データ処理部３３４は、用紙に形成されたキャリブレーションチャートを画像読取ユニット１２が読み取ることによって得られた測色データ（チャート測色データ）を受け付ける。
また、チャート測色データ処理部３３４は、パッチ配置処理部３２０からの位置情報と測色データとを対応付けて、各領域それぞれについて、各パッチに対応する読取値（測色データ）を求め、補正データ生成部３３６に対して出力する。
【００５７】
補正データ生成部３３６は、各領域それぞれについて、色補正に用いる補正データ（補正ＬＵＴ）を生成して、差分算出部３３８に対して出力する。
具体的には、補正データ生成部３３６は、各領域それぞれについて、各パッチの目標値と測色データとを比較することにより、各パッチ（カバレッジ）における補正量を算出し、その補正量を示す補正データを生成する。
【００５８】
図８は、補正データ生成部３３６によって生成される補正データを例示する図である。
例えば、分割数「４」の場合、図８に例示するように、補正データ生成部３３６は、領域「左上」におけるシアン（Ｃ）の各カバレッジについての補正データ、マゼンタ（Ｍ）の各カバレッジについての補正データ、イエロー（Ｙ）の各カバレッジについての補正データ、黒（Ｋ）の各カバレッジについての補正データを生成する。
補正データ生成部３３６は、領域「右上」、「左下」及び「右下」についても同様に、シアン（Ｃ）の各カバレッジについての補正データ、マゼンタ（Ｍ）の各カバレッジについての補正データ、イエロー（Ｙ）の各カバレッジについての補正データ、黒（Ｋ）の各カバレッジについての補正データを生成する。
【００５９】
差分算出部３３８（図３）は、領域ごとに算出された補正量の各領域間の差分を示す値（差分値）を算出し、算出した差分値を同一処理部３４０に対して出力する。
図９は、差分算出部３３８の処理を説明するための図である。
例えば分割数「４」の場合、図９（Ａ）に示すように、シアン（Ｃ）について、領域「左上」、「右上」、「左下」及び「右下」それぞれにおける補正量が算出されている。
差分算出部３３８は、領域「左上」、「右上」、「左下」及び「右下」の各組合せそれぞれについて、差分値を算出する。
例えば、差分算出部３３８は、まず、組合せ［左上・右上］について、差分値を算出する。
具体的には、図９（Ａ）の領域「左上」における補正値を示す曲線をｆ［Ｃ；左上］とし、「右上」における補正値を示す曲線をｆ［Ｃ；右上］とした場合に、差分算出部３３８は、図９（Ｂ）に実線で示すように、｜ｆ［Ｃ；左上］−ｆ［Ｃ；右上］｜を示す曲線を算出する。
そして、差分算出部３３８は、｜ｆ［Ｃ；左上］−ｆ［Ｃ；右上］｜の積分値を算出し、算出された積分値を、差分値とする。
【００６０】
差分算出部３３８は、次に、組合せ［左上・左下］についても、同様に、図９（Ｂ）に１点鎖線で示すように、｜ｆ［Ｃ；左上］−ｆ［Ｃ；左下］｜を示す曲線を算出してその積分値を算出し、算出された積分値を、差分値とする。
差分算出部３３８は、次に、組合せ［左上・右下］についても、同様に、図９（Ｂ）に破線で示すように、｜ｆ［Ｃ；左上］−ｆ［Ｃ；右下］｜を示す曲線を算出してその積分値を算出し、算出された積分値を、差分値とする。
さらに、差分算出部３３８は、他の組合せについても同様の処理を行う。
さらに、差分算出部３３８は、マゼンタ（Ｍ）、イエロー（Ｙ）及び黒（Ｋ）についても、同様に、各領域間の差分値を算出する。
【００６１】
なお、上述した実施形態では、差分算出部３３８は、各領域の補正カーブの差分を示す曲線の積分値を差分値としたが、以下の方法によって差分値を算出してもよい。
例えば、差分算出部３３８は、各領域間の各パッチ（カバレッジ）の差分をそれぞれ算出する。
具体的には、差分算出部３３８は、例えば、シアン（Ｃ）における組合せ［左上・左下］について、領域「左上」のパッチ＃１（図４）の補正量と領域「左下」のパッチ＃１の補正量とを算出し、以下同様に、領域「左上」のパッチ＃２〜＃２１の補正量と領域「左下」のパッチ＃２〜＃２１の補正量とをそれぞれ算出する。
そして、差分算出部３３８は、各パッチ（カバレッジ）について算出された差分の平均値を、差分値とする。
なお、差分算出部３３８は、各パッチ（カバレッジ）について算出された差分の最大値を、差分値としてもよい。
【００６２】
同一処理部３４０（図３）は、各領域間の組合せに関する差分値が予め定められた値以下であるか否かを判断し、差分値が予め定められた値以下である場合に、対応する領域についての補正量を同じ値とするための処理（同一処理）を行う。
さらに、同一処理部３４０は、補正データ記憶部３５０に、同一処理がなされた領域については同じ補正量を記憶させ、同一処理がなされなかった領域については補正データ生成部３３６によって算出された補正量を記憶させる。
例えば、図９の例では、同一処理部３４０は、シアン（Ｃ）において、組合せ［左上・右上］及び［左上・右下］については、差分値が予め定められた値よりも大きいと判断するが、組合せ［左上・左下］については、差分値が予め定められた値以下であると判断する。
したがって、同一処理部３４０は、図８に例示した補正データについて、「左上：シアン（Ｃ）補正データ」と「左下：シアン（Ｃ）補正データ」とを、同一の補正データ（補正量）とするように処理する。
【００６３】
なお、同一処理部３４０は、同一の補正データとする際、例えば、優先順位を「左上」→「右上」→「左下」→「右下」とし、より優先順位の低い領域の補正データを、より優先順位の高い領域の補正データに合わせて書き換える。
この場合、同一処理部３４０は、上記の例では、「左下：シアン（Ｃ）補正データ」を「左上：シアン（Ｃ）補正データ」に合わせるように書き換える。
【００６４】
画像データ受付部３６０は、コンピュータ端末等から、画像データを受け付ける。
色変換部３６２は、受け付けた画像データの赤（Ｒ）、緑（Ｇ）、青（Ｂ）で示された画素値を、例えば変換テーブル（色変換プロファイル）等を用いて、ＣＭＹＫそれぞれの濃度値（階調値）に変換する。
分割印刷指示部３６４は、用紙を複数の領域に分割して印刷する（Ｎアップ等）際の分割数を指示し、指示された分割数を、色補正処理部３６６に対して出力する。
具体的には、例えば使用者がＵＩ装置２８０を操作して分割数を例えば「４」と指示し、分割印刷指示部３６４は、その指示された分割数を受け付ける。
【００６５】
色補正処理部３６６は、指示された分割数に関する補正データを補正データ記憶部３５０から読み出す。
さらに、色補正処理部４７４は、変換された濃度値を入力濃度値として、読みだした補正データを使用して、適宜、線形補間等を行って、分割された領域ごとに、出力濃度値を算出する。
なお、色補正処理部４７４は、同じ補正データの領域については、処理を切り替えることなく一連の処理として補正処理を行ってもよい。
印刷制御部３７０算出された出力濃度値に対してハーフトーン処理を行い、さらに、濃度補正され、ハーフトーン処理を施された画像データを記録媒体に印刷するように、画像形成ユニット１４を制御する。
【００６６】
図１０は、画像処理プログラム３０の処理を示すフローチャート（Ｓ１０）である。
なお、各ステップの一部はなくてもよく、ステップの順序は、適宜、変更可能である。
ステップ１００（Ｓ１００）において、分割数設定部３００は、分割数Ｎを受け付け、用紙サイズ設定部３０２は、用紙サイズを設定する。
ステップ１０２（Ｓ１０２）において、パッチ配置処理部３２０は、測色可能サイズにパッチの大きさを縮小させるように、キャリブレーションチャートの大きさを変更する（「パッチサイズ変更処理」）。
ステップ１０４（Ｓ１０４）において、パッチ配置処理部３２０は、サイズ変更後のキャリブレーションチャートが各領域内に収まるか否かを判断し、収まる場合、処理はＳ１０６に進み、収まらない場合、処理はＳ１０８に進む。
ステップ１０６（Ｓ１０６）において、パッチ配置処理部３２０は、サイズ変更後のキャリブレーションチャートを各領域に配置するための処理を行い、チャート生成部３３０は、各領域に配置されたキャリブレーションチャートを生成する。
【００６７】
ステップ１０８（Ｓ１０８）において、パッチ配置処理部３２０は、キャリブレーションチャートからパッチ数を削減する（「パッチ数変更処理」）。
ステップ１１０（Ｓ１１０）において、パッチ配置処理部３２０は、パッチ数変更後のキャリブレーションチャートが各領域内に収まるか否かを判断し、収まる場合、処理はＳ１１２に進み、収まらない場合、処理はＳ１１４に進む。
ステップ１１２（Ｓ１１２）において、パッチ配置処理部３２０は、パッチ数変更後のキャリブレーションチャートを各領域に配置するための処理を行い、チャート生成部３３０は、各領域に配置されたキャリブレーションチャートを生成する。
ステップ１１４（Ｓ１１４）において、パッチ配置処理部３２０は、キャリブレーションチャートの色の数を１つとしたキャリブレーションチャートを各領域に配置するための処理を行い（「色数変更処理」）、チャート生成部３３０は、各領域に配置されたキャリブレーションチャートを、色ごとに複数の用紙に形成させるように、生成する。
なお、この際、パッチ数を削減前の数に戻すようにしてもよい。
【００６８】
ステップ１２０（Ｓ１２０）において、チャート印刷制御部３３２の制御によって、画像形成ユニット１４は、キャリブレーションチャートを用紙に印刷する。
ステップ１２２（Ｓ１２２）において、チャート測色データ処理部３３４は、各領域それぞれについて、各パッチに対応する測色データを受け付ける。
ステップ１２４（Ｓ１２４）において、補正データ生成部３３６は、各領域それぞれについて、補正量を算出する。
【００６９】
ステップ１２６（Ｓ１２６）において、同一処理部３４０は、各領域間の差分値が予め定められた閾値以下であるか否かを判断し、そうである場合、処理はＳ１２８に進み、そうでない場合、処理はＳ１３０に進む。
ステップ１２８（Ｓ１２８）において、同一処理部３４０は、対応する領域についての補正量を同じ値として、補正データ記憶部３５０に記憶させる。
ステップ１３０（Ｓ１３０）において、同一処理部３４０は、補正データ生成部３３６によって算出された補正量を、そのまま、補正データ記憶部３５０に記憶させる。
【００７０】
［変形例］
上述した実施形態においては、画像形成装置１に内蔵された画像処理装置２が画像処理プログラム３０を実行するとしたが、画像形成装置とネットワークを介して接続された画像処理装置が、画像処理プログラム３０を実行するとしてもよい。
【００７１】
図１１は、画像処理システム１００を示す図である。
画像形成装置１０Ａ、画像読取装置１２Ａ、コンピュータ端末１０２及び画像処理装置２Ａは、ネットワークを介して接続されている。
画像形成装置１０Ａは、図１に示した画像形成装置１０の画像形成ユニット１４と実質的に同様の構成を有している。
画像読取装置１２Ａは、図１に示した画像読取ユニット１２と実質的に同様の構成を有している。なお、画像読取装置１２Ａは、例えば、画像形成装置１０Ａの内部に取り付けられたインラインセンサー、又は、外部測色器等を含んでもよい。
コンピュータ端末１０２は、画像データを画像処理装置２Ａに送信する。
【００７２】
画像処理装置２Ａは、例えばプリントサーバであって、図１に示した画像処理装置２と実質的に同様の構成を有している。
また、画像処理装置２Ａは、図３に示した画像処理プログラム３０を実行する。
画像処理装置２Ａは、コンピュータ端末１０２から受信した画像データに対して必要な処理を施して、画像形成装置１０Ａに対して送信する。
画像形成装置１０Ａは、画像処理装置２Ａから受信した画像データを記録媒体に形成する。
画像処理装置２Ａは、用紙の各領域にキャリブレーションチャートが形成されるように、画像形成装置１０Ａにキャリブレーションチャートを形成させ、形成されたキャリブレーションチャートを画像読取装置１２Ａが読み取って、得られた読取データを画像処理装置２Ａに送信して、画像処理装置２Ａがその読取データを処理するようにしてもよい。
【００７３】
また、上述した実施形態においては、パッチ配置処理部３２０は、「パッチサイズ変更処理」、「パッチ数変更処理」及び「色数変更処理」を行うとしたが、これら３つの処理を全て行ってもよいし、どれか１つ又は２つの処理のみ行うようにしてもよい。
また、上述した実施形態においては、パッチ配置処理部３２０は、「パッチサイズ変更処理」、「パッチ数変更処理」、「色数変更処理」の順で処理を行うとしたが、これらの処理を行う順序は任意である。
例えば、パッチ配置処理部３２０は、まず「パッチサイズ変更処理」を行い、各領域にキャリブレーションチャートが収まらない場合に、「色数変更処理」を行ってもよい。
また、例えば、パッチ配置処理部３２０は、まず「パッチ数変更処理」を行い、各領域にキャリブレーションチャートが収まらない場合に、「パッチサイズ変更処理」を行ってもよい。
【００７４】
また、パッチ配置処理部３２０は、「パッチサイズ変更処理」、「パッチ数変更処理」及び「色数変更処理」を行った結果、各領域のスペースに余裕がある場合に、各領域にパッチを追加して配置するようにしてもよい。
また、同一処理部３４０は、高濃度のカバレッジ（パッチ）のみ差分が大きい場合、差分値が予め定められた閾値よりも大きいときであっても、同一処理を施してもよい。
また、使用者が、補正データ（補正ＬＵＴ）を例えば手動で調整することによって、使用者が所望する階調で出力するようにしてもよい。
【符号の説明】
【００７５】
１０・・・画像形成装置，
２・・・画像処理装置，
３０・・・画像処理プログラム，
３００・・・分割数設定部，
３０２・・・用紙サイズ設定部，
３１０・・・チャート情報記憶部，
３１２・・・測色可能サイズ記憶部，
３２０・・・パッチ配置処理部，
３３０・・・チャート生成部，
３３２・・・チャート印刷制御部，
３３４・・・チャート測色データ処理部，
３３６・・・補正データ生成部，
３３８・・・差分算出部，
３４０・・・同一処理部，
３５０・・・補正データ記憶部，
３６０・・・画像データ受付部，
３６２・・・色変換部，
３６４・・・分割印刷指示部，
３６６・・・色補正処理部，
３７０・・・印刷制御部，
【図１】
2014086930.tif 000003
【図２】
2014086930.tif 000004
【図３】
2014086930.tif 000005
【図４】
2014086930.tif 000006
【図５】
2014086930.tif 000007
【図６】
2014086930.tif 000008
【図７】
2014086930.tif 000009
【図８】
2014086930.tif 000010
【図９】
2014086930.tif 000011
【図１０】
2014086930.tif 000012
【図１１】
2014086930.tif 000013